(57)【要約】      （修正有）【課題】ばねが詰まる或いは脱出する状況を回避させ、歩留まりを向上させることのできる光ファイバー伝送モジュールを提供する。【解決手段】光ファイバー伝送モジュールが、相対的に設置される２つの側壁１１及び前端の挿入部１２を有し、且つ各側壁にはランナー１３が横方向に開設されるカートリッジ１と、１対のランナー内に挿設される１対の延長アーム２１を有し、且つ１対の延長アームの前段底部は接続シート２２を介して連接され、後端には１対のロック解除フランジ２３が突設される滑動部材２と、を備える。接続シートの上面及び挿入部の底面には弾性体２５及び当接部材１４が対応しあうように設置され、弾性体の両側には１対の弾性アーム２５１を有し、当接部材は両側に各弾性アームに接触させて移動させるために対称に設けられる案内部１４１を含むことからなる。【選択図】図２
2020177093.tif 000002
【特許請求の範囲】
【請求項１】
相対的に設置される２つの側壁及び前端の挿入部を有し、且つ各前記側壁にはランナーが横方向に開設されるカートリッジと、前記１対のランナー内に挿設される１対の延長アームを有し、且つ前記１対の延長アームの前段底部は接続シートを介して連接され、後端には１対のロック解除フランジが突設される滑動部材と、を備え、前記接続シートの上面及び前記挿入部の底面には弾性体及び当接部材が対応しあうように設置され、前記弾性体の両側には１対の弾性アームを有し、前記当接部材は両側に各前記弾性アームに接触させて移動させるために対称に設けられる案内部を含み、前記弾性体が前記当接部材の移動中にエネルギーの蓄積と解放を行うことを特徴とする光ファイバー伝送モジュール。
【請求項２】
各前記延長アームには停止シートが縦方向に突設され、前記ランナーには前記停止シートに対応する位置に前記停止シートを挿設させるための位置制限スロットが凹設され、前記滑動部材が前記カートリッジに対して外に引かれて移動するロック解除行程または内側に退縮移動するロック行程が定義されることを特徴とする請求項１に記載の光ファイバー伝送モジュール。
【請求項３】
前記挿入部には少なくとも１つのワイヤースロットが設けられることを特徴とする請求項１に記載の光ファイバー伝送モジュール。
【請求項４】
前記弾性体は打ち抜き及び折曲を経て前記接続シートの上面に形成される１対のＬ字型シート体を備え、各前記Ｌ字型シート体は前記接続シートの外端に向けて延伸される弾性アーム、及び前記接続シートの内端に連接される曲げシートを有し、前記当接部材は前記挿入部の底面に突出する台形バンプであり、前記台形バンプの両側には各前記弾性アームに接触させる案内部が対称に斜めに設置され、且つ各前記案内部は案内スロープであることを特徴とする請求項１に記載の光ファイバー伝送モジュール。
【請求項５】
前記弾性体は打ち抜き及び折曲を経て形成されるＵ字型シート体を備え、前記Ｕ字型シート体は前記接続シートの外端に向けて延伸される１対の弾性アーム、及び前記１対の弾性アームに連接される曲げシートを有し、且つ前記曲げシートは前記接続シートの外端に向けて位置決めシートが延設され、前記接続シートの底面には前記位置決めシートに対応する位置に位置決めスロットが設けられ、前記位置決めシートは前記位置決めスロット内に結合され、前記１対の弾性アーム及び前記曲げシートが前記接続シートの上面に突設されることを特徴とする請求項１に記載の光ファイバー伝送モジュール。
【請求項６】
前記位置決めシートはリベット締め、螺着、または係着方式で前記位置決めスロット内に結合されることを特徴とする請求項５に記載の光ファイバー伝送モジュール。
【請求項７】
前記位置決めシートの前後両端には第一挿入シート及び第一挿入スロットが各々設置され、且つ前記第一挿入シートと前記第一挿入スロットとの間には少なくとも１つのバックルフックが設置され、前記位置決めスロット内には前記第一挿入シート、前記第一挿入スロット、及び前記少なくとも１つのバックルフックに対応する位置に前記第一挿入シートを挿設させるための第二挿入スロット、前記第一挿入スロットを挿設させるための第二挿入シート、及び前記少なくとも１つのバックルフックを係着させるための少なくとも１つのバックルスロットがそれぞれ設置され、前記位置決めシートが前記位置決めスロット内に堅固に装設されることを特徴とする請求項６に記載の光ファイバー伝送モジュール。
【請求項８】
前記弾性体はＷ字型ワイヤースプリングであり、その両側には前記接続シートの外端に向けて延伸される１対の弾性アーム、及び前記１対の弾性アームの間に連結される逆Ｖ字型ワイヤースプリングを有し、且つ前記Ｖ字型ワイヤースプリングの連接端にはリングスリーブが形成され、前記接続シートの上面には前記リングスリーブを被装させるための袖ほぞが突設され、前記弾性体が前記接続シートに結合され、前記当接部材は前記挿入部の底面に突出するように対称に設置される１対のくさび形バンプであり、前記１対のくさび形バンプの内側には各前記弾性アームに接触させる案内部が対称に斜めに設けられ、且つ各前記案内部は案内スロープであることを特徴とする請求項１に記載の光ファイバー伝送モジュール。
【請求項９】
前記弾性体はＷ字型ワイヤースプリングであり、その両側には前記カートリッジの内端に向けて延伸される１対の弾性アーム、及び前記１対の弾性アームの間に連結される逆Ｖ字型ワイヤースプリングを有し、且つ前記Ｖ字型ワイヤースプリングの連接端にはリングスリーブが形成され、前記挿入部の底面には前記リングスリーブを被装させるための袖ほぞが突設され、前記弾性体が前記挿入部の底面に結合され、前記当接部材は前記接続シートに一体に突出されると共に前記カートリッジの内端に向けて延伸される台形突起シートであり、前記台形突起シートの上面の両側には各前記弾性アームに接触させる案内部が対称に斜めに設けられ、且つ各前記案内部は案内スロープであることを特徴とする請求項１に記載の光ファイバー伝送モジュール。
【請求項１０】
前記弾性体はＶ字型ワイヤースプリングであり、その両側には前記接続シートの内端に向けて延伸される１対の弾性アーム、及び前記１対の弾性アームの連接端に連結されるように形成されるリングスリーブを有し、前記接続シートの上面には前記リングスリーブを被装させるための袖ほぞが突設され、前記弾性体が前記接続シートに結合され、前記当接部材は前記挿入部の底面に突出するように対称に設置される１対の長形バンプであり、前記１対の長形バンプの内側端部には各前記弾性アームに接触させる案内部が対称に斜めに設けられ、且つ各前記案内部は案内スロープであることを特徴とする請求項１に記載の光ファイバー伝送モジュール。
【請求項１１】
前記弾性体はＶ字型ワイヤースプリングであり、その両側には前記カートリッジの前端に向けて延伸される１対の弾性アーム、及び前記１対の弾性アームの連接端に連結されるように形成されるリングスリーブを有し、前記挿入部の底面には前記リングスリーブを被装させるための袖ほぞが突設され、前記弾性体が前記挿入部の底面に結合され、前記当接部材は前記接続シートの上面に突出されると共に前記１対の弾性アームに各々接触させる案内部であり、且つ各前記案内部は案内ボスであることを特徴とする請求項１に記載の光ファイバー伝送モジュール。
【請求項１２】
前記１対の延長アームの前端にはプルハンドルを更に備えることを特徴とする請求項１に記載の光ファイバー伝送モジュール。
【請求項１３】
前記プルハンドルは高分子材料で製造され、前記１対の延長アームの前段には少なくとも１つの連結穴が各々開設され、前記プルハンドルは前記１対の延長アームの前端にインサート成形され、且つ前記少なくとも１つの連結穴が埋設されることを特徴とする請求項１２に記載の光ファイバー伝送モジュール。
【請求項１４】
前記１対の延長アームの前端には、１対の支持アーム及び前記１対の支持アームに連結されるプッシュシートを含む引き輪を更に備え、前記１対の支持アームは前記１対の側壁の１対の枢軸に枢着される１対のシャフト穴、及び前記１対の延長アームの前端の１対の固定軸に被装される１対の弧状の細長いスロットを有し、各前記弧状の細長いスロットにより対応する前記固定軸の上端部及び下端部との距離差が生じ、前記引き輪の前記プッシュシートが回転され、前記１対の固定軸が前記１対の弧状の細長いスロットの前記下端部から前記上端部まで回転移動すると、前記滑動部材が引かれてコネクタソケットの反対方向に移動し、各前記延長アームの末端の前記ロック解除フランジが移動中に弾性ロックシートに撞着し、前記光ファイバー伝送モジュールが前記コネクタソケットから引き抜かれることを特徴とする請求項１に記載の光ファイバー伝送モジュール。
【発明の詳細な説明】
【技術分野】
【０００１】
本発明は、光ファイバー伝送モジュール(Optical Fiber Transceiver Module)に関し、より詳しくは、光ファイバー伝送または信号伝送に応用される光ファイバー伝送モジュールに関する。
【背景技術】
【０００２】
ネットワーク容量の需要は急増しており、光通信技術の発展を促している。光電気通信技術も広く使用されるようになっており、通信速度及び品質に対する要求も高まり続けている。高速大容量情報伝送を提供可能である光ファイバーネットワーク伝送による光通信産業がすでに通信産業の中心となっており、光通信関連の光ファイバー応用製品も重要になっている。
【０００３】
現在の光電産業は電子工学（electronics）及び光学（optics）が相互に結合されて発生した応用分野である。その重要な鍵となる部材は光送受信モジュールであり、光発信機（opto-electrical transmitter）及び光受信器（opto-electrical receiver）、またはその両者が統合された光送受信モジュール（opto-electrical transceiver）を備える。光発信機の機能は電気信号を光信号に変換させて発信させることであり、光受信器の主要な機能は受信した光信号を電気信号に変換させることである。
【０００４】
光送受信モジュールは初期のＧＢＩＣ（Gigabit Interface Converter）インターフェースからより小型のＭＩＮＩ  ＧＢＩＣ（Gigabit Interface Converter）へと発展し、現在産業の需要に応じて熱挿脱機能を有するＳＰＦ（Small Form-Factor Pluggable）インターフェース、ＳＦＦ（Small Form Factor）インターフェース、ＱＳＦＰ＋／ＱＳＦＰ  ＤＤ／ＯＳＦＰ等へと発展している。然しながら、サイズが小さすぎるため使用者が挿脱しにくく、退出機構を有する光送受信モジュールが派生した。
【０００５】
従来の特許文献では、例えば、特許文献１に記載されている光ファイバコネクタは、対向する２つの側壁及び接続部を有し、且つ前記１対の側壁にはランナー及び前記接続部の側面に位置される収容溝が各々設けられるカートリッジと、プルハンドル、対向する２つの延長アームを有する滑動部材、及び各前記延長アームに位置されるストップ部で構成され、前記プルハンドルは前記滑動部材に回転可能に連結され、且つ各前記延長アームが滑動しつつ各前記ランナーによりカートリッジに結合されるラッチ部材と、ばね等の１対の弾性部材と、を備える。各前記延長アームには各前記弾性部材が装入される開口部が設けられ、前記ストップ部は前記開口部の一側から湾曲すると共に前記収容溝内に対して挿入される。
【０００６】
各前記ばねは前記開口部を貫通させて前記収容溝内に装入され、且つ一端が前記収容溝の一端に接触し、他端が前記ストップ部に接触する。このため、前記ばねの装設過程において初期定位不良が発生し、操作過程において前記ばねが詰まったり、前記開口部から脱出してしまい、前記１対の延長アームが前記カートリッジに対して不要な磨損を引き起こし、滑動不能になる故障に繋がった。
【先行技術文献】
【特許文献】
【０００７】
【特許文献１】台湾登録実用新案第Ｍ５２１７４６号明細書
【発明の概要】
【発明が解決しようとする課題】
【０００８】
そこで、本発明者は上記の欠点が改善可能と考え、鋭意検討を重ねた結果、これら前記ばねに精確な定位機能を提供する。
【課題を解決するための手段】
【０００９】
本発明は、以上の従来技術の課題を解決する為になされたものである。即ち、本発明は、光ファイバー伝送モジュールを提供することを主目的とする。換言すれば、弾性体及び当接部材が相対的に設置されて移動することにより、カートリッジと滑動部材との間に安定的に精確に定位され、従来の１対のばねの定位不良を克服させ、前記１対のばねが伸び縮みする際に詰まったり脱出することがないようにする。
【００１０】
上記課題を解決するために、本発明のある態様の光ファイバー伝送モジュールは、相対的に設置される２つの側壁及び前端の挿入部を有し、且つ各前記側壁にはランナーが横方向に開設されるカートリッジと、前記１対のランナー内に挿設される１対の延長アームを有し、且つ前記１対の延長アームの前段底部は接続シートを介して連接され、後端には１対のロック解除フランジが突設される滑動部材と、を備える。前記接続シートの上面及び前記挿入部の底面には弾性体及び当接部材が対応しあうように設置され、前記弾性体の両側には１対の弾性アームを有し、前記当接部材は両側に各前記弾性アームに接触させて移動させるために対称に設けられる案内部を含み、前記弾性体が前記当接部材の移動中にエネルギーの蓄積と解放を行う。
【００１１】
本発明の好適例において、各前記延長アームには停止シートが縦方向に突設され、前記ランナーには前記停止シートに対応する位置に前記停止シートを挿設させるための位置制限スロットが凹設され、前記滑動部材が前記カートリッジに対して外に引かれて移動するロック解除行程または内側に退縮移動するロック行程が定義される。
【００１２】
本発明の好適例において、前記挿入部には少なくとも１つのワイヤースロットが設けられる。
【００１３】
本発明の好適例において、前記弾性体は打ち抜き及び折曲を経て前記接続シートの上面に形成される１対のＬ字型シート体を備える。各前記Ｌ字型シート体は前記接続シートの外端に向けて延伸される弾性アーム、及び前記接続シートの内端に連接される曲げシートを有する。前記当接部材は前記挿入部の底面に突出する台形バンプであり、前記台形バンプの両側には各前記弾性アームに接触させる案内部が対称に斜めに設置され、且つ各前記案内部は案内スロープである。
【００１４】
本発明の好適例において、前記弾性体は打ち抜き及び折曲を経て形成されるＵ字型シート体を備える。前記Ｕ字型シート体は前記接続シートの外端に向けて延伸される１対の弾性アーム、及び前記１対の弾性アームに連接される曲げシートを有し、且つ前記曲げシートは前記接続シートの外端に向けて位置決めシートが延設される。前記接続シートの底面には前記位置決めシートに対応する位置に位置決めスロットが設けられる。前記位置決めシートは前記位置決めスロット内に結合され、前記１対の弾性アーム及び前記曲げシートが前記接続シートの上面に突設される。
【００１５】
本発明の好適例において、前記位置決めシートはリベット締め、螺着、または係着方式で前記位置決めスロット内に結合される。
【００１６】
本発明の好適例において、前記位置決めシートの前後両端には第一挿入シート及び第一挿入スロットが各々設置され、且つ前記第一挿入シートと前記第一挿入スロットとの間には少なくとも１つのバックルフックが設置される。前記位置決めスロット内には前記第一挿入シート、前記第一挿入スロット、及び前記少なくとも１つのバックルフックに対応する位置に前記第一挿入シートを挿設させるための第二挿入スロット、前記第一挿入スロットを挿設させるための第二挿入シート、及び前記少なくとも１つのバックルフックを係着させるための少なくとも１つのバックルスロットがそれぞれ設置され、前記位置決めシートが前記位置決めスロット内に堅固に装設される。
【００１７】
本発明の好適例において、前記弾性体はＷ字型ワイヤースプリングであり、その両側には前記接続シートの外端に向けて延伸される１対の弾性アーム、及び前記１対の弾性アームの間に連結される逆Ｖ字型ワイヤースプリングを有し、且つ前記Ｖ字型ワイヤースプリングの連接端にはリングスリーブが形成される。前記接続シートの上面には前記リングスリーブを被装させるための袖ほぞが突設され、前記弾性体が前記接続シートに結合される。前記当接部材は前記挿入部の底面に突出するように対称に設置される１対のくさび形バンプであり、前記１対のくさび形バンプの内側には各前記弾性アームに接触させる案内部が対称に斜めに設けられ、且つ各前記案内部は案内スロープである。
【００１８】
本発明の好適例において、前記弾性体はＷ字型ワイヤースプリングであり、その両側には前記カートリッジの内端に向けて延伸される１対の弾性アーム、及び前記１対の弾性アームの間に連結される逆Ｖ字型ワイヤースプリングを有し、且つ前記Ｖ字型ワイヤースプリングの連接端にはリングスリーブが形成される。前記挿入部の底面には前記リングスリーブを被装させるための袖ほぞが突設され、前記弾性体が前記挿入部の底面に結合される。前記当接部材は前記接続シートに一体に突出されると共に前記カートリッジの内端に向けて延伸される台形突起シートであり、前記台形突起シートの上面の両側には各前記弾性アームに接触させる案内部が対称に斜めに設けられ、且つ各前記案内部は案内スロープである。
【００１９】
本発明の好適例において、前記弾性体はＶ字型ワイヤースプリングであり、その両側には前記接続シートの内端に向けて延伸される１対の弾性アーム、及び前記１対の弾性アームの連接端に連結されるように形成されるリングスリーブを有する。前記接続シートの上面には前記リングスリーブを被装させるための袖ほぞが突設され、前記弾性体が前記接続シートに結合される。前記当接部材は前記挿入部の底面に突出するように対称に設置される１対の長形バンプであり、前記１対の長形バンプの内側端部には各前記弾性アームに接触させる案内部が対称に斜めに設けられ、且つ各前記案内部は案内スロープである。
【００２０】
本発明の好適例において、前記弾性体はＶ字型ワイヤースプリングであり、その両側には前記カートリッジの前端に向けて延伸される１対の弾性アーム、及び前記１対の弾性アームの連接端に連結されるように形成されるリングスリーブを有する。前記挿入部の底面には前記リングスリーブを被装させるための袖ほぞが突設され、前記弾性体が前記挿入部の底面に結合される。前記当接部材は前記接続シートの上面に突出されると共に前記１対の弾性アームに各々接触させる案内部であり、且つ各前記案内部は案内ボスである。
【００２１】
本発明の好適例において、前記１対の延長アームの前端にはプルハンドルを更に備える。
【００２２】
本発明の好適例において、前記プルハンドルは高分子材料で製造され、前記１対の延長アームの前段には少なくとも１つの連結穴が各々開設される。前記プルハンドルは前記１対の延長アームの前端にインサート成形され、且つ前記少なくとも１つの連結穴が埋設される。
【００２３】
本発明の好適例において、前記１対の延長アームの前端には、１対の支持アーム及び前記１対の支持アームに連結されるプッシュシートを含む引き輪を更に備える。前記１対の支持アームは前記１対の側壁の１対の枢軸に枢着される１対のシャフト穴、及び前記１対の延長アームの前端の１対の固定軸に被装される１対の弧状の細長いスロットを有する。各前記弧状の細長いスロットにより対応する前記固定軸の上端部及び下端部との距離差が生じる。前記引き輪の前記プッシュシートが回転され、前記１対の固定軸が前記１対の弧状の細長いスロットの前記下端部から前記上端部まで回転移動すると、前記滑動部材が引かれて前記コネクタソケットの反対方向に移動し、各前記延長アームの末端の前記ロック解除フランジが移動中に前記弾性ロックシートに撞着し、前記光ファイバー伝送モジュールが前記コネクタソケットから引き抜かれる。
【図面の簡単な説明】
【００２４】
【図１】本発明の第１実施形態による光ファイバー伝送モジュールを示す斜視の分解図である。
【図２】本発明の第１実施形態による光ファイバー伝送モジュールを示す斜視の分解図である。
【図３】図１に示す第１実施形態の組み立て後の傾斜図である。
【図４】図１に示す第１実施形態によるコネクタソケットに挿入される傾斜図である。
【図５】図１に示す第１実施形態及びコネクタソケットがロック状態にある断面図と、丸で囲んだ位置の部分拡大断面図である。
【図６】図１に示す第１実施形態及びコネクタソケットがロック状態にある側面図である。
【図７】図１に示す第１実施形態及びコネクタソケットがロック解除状態にある側面図と、丸で囲んだ位置の部分拡大断面図である。
【図８】図１に示す第１実施形態及びコネクタソケットがロック解除状態にある側面図である。
【図９】本発明の第２実施形態による光ファイバー伝送モジュールを示す斜視の分解図である。
【図１０】本発明の第２実施形態による光ファイバー伝送モジュールを示す斜視の分解図である。
【図１１】図９に示す第２実施形態の組み立て後の傾斜図である。
【図１２】図１１のＡ−Ａ線に沿う断面図である。
【図１３】図９のＢ−Ｂ線に沿う断面図である。
【図１４】図１１に示す第２実施形態及びコネクタソケットがロック状態にある側面図と、丸で囲んだ位置の部分拡大断面図である。
【図１５】図１１に示す第２実施形態及びコネクタソケットがロック解除状態にある側面図と、丸で囲んだ位置の部分拡大断面図である。
【図１６】本発明の第３実施形態による光ファイバー伝送モジュールを示す斜視の分解図である。
【図１７】図１６に示す第３実施形態及びコネクタソケットがロック状態にある断面図と、丸で囲んだ位置の部分拡大断面図である。
【図１８】図１６に示す第３実施形態及びコネクタソケットがロック解除状態にある断面図と、丸で囲んだ位置の部分拡大断面図である。
【図１９】本発明の第４実施形態による光ファイバー伝送モジュールを示す斜視の分解図である。
【図２０】図１９に示す第４実施形態及びコネクタソケットがロック状態にある断面図と、丸で囲んだ位置の部分拡大断面図である。
【図２１】図１９に示す第４実施形態及びコネクタソケットがロック解除状態にある断面図と、丸で囲んだ位置の部分拡大断面図である。
【図２２】本発明の第５実施形態による光ファイバー伝送モジュールを示す斜視の分解図である。
【図２３】図２２に示す第５実施形態及びコネクタソケットがロック状態にある断面図と、丸で囲んだ位置の部分拡大断面図である。
【図２４】図２２に示す第５実施形態及びコネクタソケットがロック解除状態にある断面図と、丸で囲んだ位置の部分拡大断面図である。
【図２５】本発明の第６実施形態による光ファイバー伝送モジュールを示す斜視の分解図である。
【図２６】図２５に示す第６実施形態及びコネクタソケットがロック状態にある断面図と、丸で囲んだ位置の部分拡大断面図である。
【図２７】図２５に示す第６実施形態及びコネクタソケットがロック解除状態にある断面図と、丸で囲んだ位置の部分拡大断面図である。
【図２８】本発明の第７実施形態による光ファイバー伝送モジュールを示す斜視の分解図である。
【図２９】図２８に示す第７実施形態の組み立て後の傾斜図である。
【図３０】図２９に示す第７実施形態のプルリングの未動作状態を示す側面図である。
【図３１】図２９に示す第７実施形態のプルリングの動作状態を示す側面図である。
【発明を実施するための形態】
【００２５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２６】
本案に係る光ファイバー伝送モジュールはカートリッジ１及び滑動部材２を備える（図１及び図８参照）。前記カートリッジ１は相対的に設置される２つの側壁１１及び前端の挿入部１２を有し、各前記側壁１１にはランナー１３が横方向に開設される。前記挿入部１２には少なくとも１つのワイヤースロット１２１が設けられ、光ファイバーケーブル（図示省略）が挿着され、前記光ファイバーケーブル及びカートリッジ１内の光電部材（図示省略）、例えば少なくとも１つの光源、少なくとも１つの光センサー、少なくとも１つのレンズ並びに他の光学素子、少なくとも１つのデジタル信号ドライバ並びに少なくとも１つの受信器回路光学素子または回路基板が電気的に接続される。
【００２７】
前記滑動部材２は前記１対のランナー１３内に挿設される１対の延長アーム２１を有し、前記１対の延長アーム２１の前段底部は接続シート２２を介して連接され、且つ後端には１対のロック解除フランジ２３が突設される。前記１対の延長アーム２１の前端にはプルハンドル２４が装設され、前記プルハンドル２４はゴムやシリコーン等の高分子材料で製造される。前記１対の延長アーム２１の前段には少なくとも１つの連結穴２１１が各々開設され、前記プルハンドル２４は前記１対の延長アーム２１の前端にインサート成形され、且つ前記少なくとも１つの連結穴２１１が埋設され、前記プルハンドル２４が前記１対の延長アーム２１の前端に固設される。
【００２８】
各前記延長アーム２１には停止シート２１２が縦方向に突設され、前記ランナー１３は前記停止シート２１２に対応する位置に前記停止シート２１２を挿設させるための位置制限スロット１３１が凹設され、前記滑動部材２が前記カートリッジ１に対して外に引かれて移動するロック解除行程または内側に退縮移動するロック行程が定義される。
【００２９】
前記光ファイバー伝送モジュールの技術的特徴は、前記接続シート２２の上面及び前記挿入部１２の底面には弾性体２５及び当接部材１４が対応しあうように設置される。前記弾性体２５の両側には１対の弾性アーム２５１を有し、前記当接部材１４は両側に各前記弾性アーム２５１に接触させて移動させるために対称に設けられる案内部１４１を備え、例えば、案内スロープや案内ボスである。前記弾性体２５が前記当接部材１４の移動中にエネルギーの蓄積と解放を行う。
【００３０】
図１及び図２に示されるように、前記弾性体２５は打ち抜き及び折曲を経て前記接続シート２２の上面に形成される１対のＬ字型シート体を備え、各前記Ｌ字型シート体は前記接続シート２２の外端に向けて延伸される弾性アーム２５１、及び前記接続シート２２の内端に連接される曲げシート２５２を有する。前記当接部材１４は前記挿入部１２の底面に突出する台形バンプとして実施され、前記台形バンプの両側には各前記弾性アーム２５１に接触させる案内部１４１が対称に斜めに設けられ、これは例えば案内スロープ等である。
【００３１】
前記光ファイバー伝送モジュールの第１実施形態の装設では、図１及び図２に示される前記カートリッジ１及び前記滑動部材２が予め組み立てられた後、図３に示される光ファイバー伝送モジュールが形成される。前記光ファイバー伝送モジュールはラッチにより図４に示されるコネクタソケット３内に固定され、且つ前記滑動部材２により前記カートリッジ１が前記コネクタソケット３内から外に引き抜かれる。
【００３２】
図１及び図２に示されるように、前記ワイヤースロット１２１は挿着口として実施され、光ファイバーケーブルの挿着ヘッド（図示省略）が挿着された後、光信号接続が形成される。或いは、前記ワイヤースロット１２１が挿通孔として実施され、光ファイバーケーブル（図示省略）が挿通させた後に前記カートリッジ１内の回路基板（図示省略）に接続され、光信号接続が形成される。
【００３３】
図４乃至図６に示されるように、前記光ファイバー伝送モジュールは前記コネクタソケット３内に挿着され、前記１対の延長アーム２１の後端の前記１対のロック解除フランジ２３が前記コネクタソケット３の両側に相対的に設置される前記１対の弾性ロックシート３１内に係合され、ロック形態が形成される（図５参照）。また、各前記延長アーム２１の前記停止シート２１２は前記ランナー１３に対応する前記位置制限スロット１３１の後端に挿設される（図６参照）。この際、前記弾性体２５の前記１対の弾性アーム２５１は前記当接部材１４の両側に接触させてラッパ形状の案内スロープのような前記１対の案内部１４１に斜め方向に拡張される形態を呈する（図５参照）。
【００３４】
また、図７及び図８に示されるように、他の規格の光ファイバー伝送モジュールに交換するか取り外す場合、使用者は手で前記プルハンドル２４を握って前記滑動部材２を動かして前記コネクタソケット３と反対方向に移動させるのみで、前記弾性体２５の前記１対の弾性アーム２５１が前記１対の案内部１４１に沿って外に向けて移動し、外に拡張するエネルギー蓄積形態が形成される（図７参照）。この際、各前記延長アーム２１の前記停止シート２１２が前記ランナー１３に対応する前記位置制限スロット１３１の前端に挿設され（図８参照）、前記１対の弾性アーム２５１が前記１対の案内部１４１に沿って移動する距離が定義される。各前記延長アーム２１の末端の前記ロック解除フランジ２３が移動中に前記弾性ロックシート３１に撞着し、前記光ファイバー伝送モジュールが前記コネクタソケット３から引き抜かれる。
【００３５】
新しい光ファイバー伝送モジュールに交換する場合、前記滑動部材２が解放された後、前記１対の弾性アーム２５１がエネルギーを解放させ、前記１対の案内部１４１に沿って初期位置に戻され、前記滑動部材２が図４及び図５に示されるロック位置まで復帰する。
【００３６】
図９乃至図１５は前記光ファイバー伝送モジュールの第２実施形態を示す。本実施形態は前記第１実施形態と同じ符号を用いて同じ部材を表示する。本実施形態と前記第１実施形態とでは多くの共用部材を共有し、よって両者の差異についてのみ説明する。
【００３７】
本実施形態の前記第１実施形態との差異は、前記弾性体２５が単一の部材として前記接続シート２２に接続するように取り付けられ、これにより前記第１実施形態と同じエネルギーの蓄積と解放効果が得られる点である。図９及び図１０に示されるように、前記当接部材１４及び前記１対の案内部１４１の配置は全て前記第１実施形態と同じであり、ここでは詳述しない。
【００３８】
前記弾性体２５は打ち抜き及び折曲を経て形成されるＵ字型シート体を備え、前記Ｕ字型シート体は前記接続シート２２の外端に向けて延伸される１対の弾性アーム２５１、及び前記１対の弾性アーム２５１に連接される曲げシート２５２を有し、且つ前記曲げシート２５２には前記接続シート２２の外端に向けて位置決めシート２５３が延設される。前記接続シート２２の底面には前記位置決めシート２５３に対応する位置に位置決めスロット２２１が設けられる。前記位置決めシート２５３は前記位置決めスロット２２１内に結合され、前記１対の弾性アーム２５１及び前記曲げシート２５２が前記接続シート２２の上面に突設される。
【００３９】
前記位置決めシート２５３が前記位置決めスロット２２１に結合される方式としてリベット締め、螺着、または係着等方式が採用されて固定される。図９乃至図１３に示される前記位置決めシート２５３が前記位置決めスロット２２１に係着される実行可能な実施形態では、前記位置決めシート２５３の前後両端に第一挿入シート２５３ａ及び第一挿入スロット２５３ｂが各々設置され、且つ前記第一挿入シート２５３ａと前記第一挿入スロット２５３ｂとの間には少なくとも１つのバックルフック２５３ｃが設置される。前記位置決めスロット２２１内には前記第一挿入シート２５３ａ、前記第一挿入スロット２５３ｂ、及び前記少なくとも１つのバックルフック２５３ｃに対応する位置に前記第一挿入シート２５３ａを挿設させるための第二挿入スロット２２１ａ、前記第一挿入スロット２５３ｂを挿設させるための第二挿入シート２２１ｂ、及び前記少なくとも１つのバックルフック２５３ｃを係着させるための少なくとも１つのバックルスロット２２１ｃがそれぞれ設置され、前記位置決めシート２５３が前記位置決めスロット２２１内に堅固に装設されて外れなくなる。
【００４０】
第２実施形態に係る前記光ファイバー伝送モジュールの装設では、図９及び図１０に示される前記カートリッジ１及び前記滑動部材２が予め組み立てられた後、図１１に示される光ファイバー伝送モジュールが形成される。前記光ファイバー伝送モジュールはラッチにより図４に示されるコネクタソケット３内に固定され、且つ前記滑動部材２により前記カートリッジ１が前記コネクタソケット３内から引き抜かれる。
【００４１】
図１４に示されるように、前記光ファイバー伝送モジュールは前記コネクタソケット３内に挿着され、前記１対の延長アーム２１の後端の前記１対のロック解除フランジ２３が前記コネクタソケット３の両側に相対的に設置される前記１対の弾性ロックシート３１に係合され、ロック形態が形成される。各前記延長アーム２１の前記停止シート２１２は前記ランナー１３に対応する前記位置制限スロット１３１の後端に挿設される（図６参照）。この際、前記弾性体２５の前記１対の弾性アーム２５１が前記当接部材１４の両側に接触させてラッパ形状の案内スロープのような前記１対の案内部１４１に斜め方向に拡張される形態を呈する。
【００４２】
図１５に示されるように、他の規格の光ファイバー伝送モジュールに交換したり取り外す場合、使用者は手で前記プルハンドル２４を握って前記滑動部材２を動かして前記コネクタソケット３の反対方向に移動させるのみで、前記弾性体２５の１対の弾性アーム２５１が前記１対の案内部１４１に沿って移動し、外に拡張されるエネルギー蓄積形態が形成される。この際、各前記延長アーム２１の前記停止シート２１２が前記ランナー１３に対応する前記位置制限スロット１３１の前端に挿設され（図８参照）、前記１対の弾性アーム２５１が前記１対の案内部１４１に沿って移動する距離が定義される。各前記延長アーム２１の末端の前記ロック解除フランジ２３が移動中に前記弾性ロックシート３１に撞着し、前記光ファイバー伝送モジュールが前記コネクタソケット３から引き抜かれる。
【００４３】
新しい光ファイバー伝送モジュールに交換する場合、前記滑動部材２が解放された後に、前記１対の弾性アーム２５１がエネルギーを解放させ、前記１対の案内部１４１に沿って初期位置に戻され、前記滑動部材２が図１４に示されるロック位置まで復帰する。
【００４４】
図１６乃至図１８には第３実施形態に係る前記光ファイバー伝送モジュールを示す。本実施形態は前記第１実施形態と同じ符号を用いて同じ部材を表示する。本実施形態と前記第１実施形態とでは多くの共用部材を共有し、よって両者の差異についてのみ説明する。
【００４５】
本実施形態の前記第１実施形態との差異について下述する。前記弾性体２５はＷ字型ワイヤースプリングであり、その両側には前記接続シート２２の外端に向けて延伸される１対の弾性アーム２５１、及び前記１対の弾性アーム２５１の間に連結される逆Ｖ字型ワイヤースプリング２５４を有し、且つ前記Ｖ字型ワイヤースプリング２５４の連接端にはリングスリーブ２５５が形成される。前記接続シート２２の上面には前記リングスリーブ２５５を被装させるための袖ほぞ２２２が突設され、前記弾性体２５が前記接続シート２２に結合される。前記当接部材１４は前記挿入部１２の底面に突出するように対称に設置される１対のくさび形バンプとして実施され、前記１対のくさび形バンプの内側には各前記弾性アーム２５１に接触させる案内部１４１が対称に斜めに設けられ、これは例えば案内スロープである。
【００４６】
図１７に示されるように、前記光ファイバー伝送モジュールは前記コネクタソケット３内に挿着され、前記１対の延長アーム２１の後端の前記１対のロック解除フランジ２３が前記コネクタソケット３の両側に相対的に設置される前記１対の弾性ロックシート３１に係合され、ロック形態が形成される。各前記延長アーム２１の前記停止シート２１２は前記ランナー１３に対応する前記位置制限スロット１３１の後端に挿設される（図６参照）。この際、前記弾性体２５の前記１対の弾性アーム２５１は前記当接部材１４に接触させて前記１対の案内部１４１に斜め方向に退縮する形態を呈する。
【００４７】
図１８に示されるように、他の規格の光ファイバー伝送モジュールに交換したり取り外す場合、使用者は手で前記プルハンドル２４を握って前記滑動部材２を動かして前記コネクタソケット３の反対方向に移動させるのみで、前記弾性体２５の前記１対の弾性アーム２５１が前記１対の案内部１４１に沿って移動し、内側に退縮するエネルギー蓄積形態が形成される。この際、各前記延長アーム２１の前記停止シート２１２が前記ランナー１３に対応する前記位置制限スロット１３１の前端に挿設され（図８参照）、前記１対の弾性アーム２５１が前記１対の案内部１４１に沿って移動する距離が定義される。各前記延長アーム２１の末端の前記ロック解除フランジ２３が移動中に前記弾性ロックシート３１に撞着し、前記光ファイバー伝送モジュールが前記コネクタソケット３から引き抜かれる。
【００４８】
新しい光ファイバー伝送モジュールに交換する場合、前記滑動部材２が解放された後、前記１対の弾性アーム２５１がエネルギーを解放させ、前記１対の案内部１４１に沿って初期位置に戻され、前記滑動部材２が図１７に示されるロック位置まで復帰する。
【００４９】
図１９乃至図２１は第４実施形態に係る前記光ファイバー伝送モジュールを示す。本実施形態は前記第３実施形態と同じ符号を用いて同じ部材を表示する。本実施形態と前記第３実施形態とでは多くの共用部材を共有し、よって両者の差異についてのみ説明する。
【００５０】
本実施形態の前記第３実施形態との差異について下述する。前記弾性体１５が前記挿入部１２の底面に連結されるように取り付けられ、前記弾性体を示す符号が１５に変更される。前記弾性体１５の構造は前記第３実施形態と同じＷ字型ワイヤースプリングであり、その両側には前記カートリッジ１の内端に向けて延伸される１対の弾性アーム１５１、及び前記１対の弾性アーム１５１の間に連結される逆Ｖ字型ワイヤースプリング１５２を有し、且つ前記Ｖ字型ワイヤースプリング１５２の連接端にはリングスリーブ１５３が形成される。前記挿入部１２の底面には前記リングスリーブ１５３を被装させるための袖ほぞ１２２が突設され、前記弾性体１５が前記挿入部１２の底面に結合される。前記当接部材が前記接続シート２２に一体で突出されると共に前記カートリッジ１の内端に向けて延伸される台形突起シート２２３として実施され、且つ前記台形突起シート２２３の上面の両側には各前記弾性アーム１５１に接触させる案内部２２４が対称に斜めに設けられ、これは例えば案内スロープである。
【００５１】
図２０に示されるように、前記光ファイバー伝送モジュールは前記コネクタソケット３内に挿着され、前記１対の延長アーム２１の後端の前記１対のロック解除フランジ２３が前記コネクタソケット３の両側に相対的に設置される前記１対の弾性ロックシート３１に係合され、ロック形態が形成される。各前記延長アーム２１の前記停止シート２１２は前記ランナー１３に対応する前記位置制限スロット１３１の後端に挿設される（図６参照）。この際、前記弾性体１５の前記１対の弾性アーム１５１が前記接続シート２２に接触させて前記１対の案内部２２４に斜め方向に退縮する形態を呈する。
【００５２】
図２１に示されるように、他の規格の光ファイバー伝送モジュールに交換したり取り外す場合、使用者は手で前記プルハンドル２４を握って前記滑動部材２を動かして前記コネクタソケット３の反対方向に移動させるのみで、前記弾性体１５の前記１対の弾性アーム１５１が前記１対の案内部２２４に沿って移動し、内側に退縮するエネルギー蓄積形態が形成される。この際、各前記延長アーム２１の前記停止シート２１２が前記ランナー１３に対応する前記位置制限スロット１３１の前端に挿設され（図８参照）、前記１対の弾性アーム１５１が前記１対の案内部２２４に沿って移動する距離が定義される。各前記延長アーム２１の末端の前記ロック解除フランジ２３が移動中に前記弾性ロックシート３１に撞着し、前記光ファイバー伝送モジュールが前記コネクタソケット３から引き抜かれる。
【００５３】
新しい光ファイバー伝送モジュールに交換する場合、前記滑動部材２が解放された後、前記１対の弾性アーム１５１がエネルギーを解放させ、且つ前記１対の案内部２２４に沿って初期位置に戻され、前記滑動部材２が図２０に示されるロック位置まで復帰する。
【００５４】
図２２乃至図２４は第５実施形態に係る前記光ファイバー伝送モジュールを示す。本実施形態は前記第１実施形態と同じ符号を用いて同じ部材を表示する。本実施形態と前記第１実施形態とでは多くの共用部材を共有し、よって両者の差異についてのみ説明する。
【００５５】
本実施形態の前記第１実施形態との差異について下述する。前記弾性体２５はＶ字型ワイヤースプリングであり、その両側には前記接続シート２２の内端に向けて延伸される１対の弾性アーム２５１、及び前記１対の弾性アーム２５１の連接端に連結されるように形成されるリングスリーブ２５５を有する。前記接続シート２２の上面には前記リングスリーブ２５５を被装させるための袖ほぞ２２２が突設され、前記弾性体２５が前記接続シート２２に結合される。前記当接部材１４は前記挿入部１２の底面に突出するように対称に設置される１対の長形バンプとして実施され、前記１対の長形バンプの内側端部には各前記弾性アーム２５１に接触させる案内部１４１が対称に斜めに設けられ、これは例えば案内スロープである。
【００５６】
図２３に示されるように、前記光ファイバー伝送モジュールは前記コネクタソケット３内に挿着され、前記１対の延長アーム２１の後端の前記１対のロック解除フランジ２３が前記コネクタソケット３の両側に相対的に設置される前記１対の弾性ロックシート３１に係合され、ロック形態が形成される。各前記延長アーム２１の前記停止シート２１２は前記ランナー１３に対応する前記位置制限スロット１３１の後端に挿設される（図６参照）。この際、前記弾性体２５の前記１対の弾性アーム２５１が前記当接部材１４に接触させて前記１対の案内部１４１に斜め方向に退縮する形態を呈する。
【００５７】
図２４に示されるように、他の規格の光ファイバー伝送モジュールに交換したり取り外す場合、使用者は手で前記プルハンドル２４を握って前記滑動部材２を動かして前記コネクタソケット３の反対方向に移動させるのみで、前記弾性体２５の前記１対の弾性アーム２５１が前記１対の案内部１４１に沿って移動し、内側に退縮するエネルギー蓄積形態が形成される。この際、各前記延長アーム２１の前記停止シート２１２が前記ランナー１３に対応する前記位置制限スロット１３１の前端に挿設され（図８参照）、前記１対の弾性アーム２５１が前記１対の案内部１４１に沿って移動する距離が定義される。各前記延長アーム２１の末端の前記ロック解除フランジ２３が移動中に前記弾性ロックシート３１に撞着し、前記光ファイバー伝送モジュールが前記コネクタソケット３から引き抜かれる。
【００５８】
新しい光ファイバー伝送モジュールに交換する場合、前記滑動部材２が解放された後、前記１対の弾性アーム２５１がエネルギーを解放させ、且つ前記１対の案内部１４１に沿って初期位置に戻され、前記滑動部材２が図２３に示されるロック位置まで復帰する。
【００５９】
図２５至図２７には第６実施形態に係る前記光ファイバー伝送モジュールを示す。本実施形態は前記第５実施形態と同じ符号を用いて同じ部材を表示する。本実施形態と前記第５実施形態とでは多くの共用部材を共有し、よって両者の差異についてのみ説明する。
【００６０】
本実施形態の前記第５実施形態との差異について下述する。前記弾性体１５が前記挿入部１２の底面に連結されるように取り付けられることによって、前記弾性体を示す符号が１５へと変更される。前記弾性体１５の構造は前記第５実施形態と同じＶ字型ワイヤースプリングであり、その両側には前記カートリッジ１の前端に向けて延伸される１対の弾性アーム１５１、及び前記１対の弾性アーム１５１の連接端に連結されるように形成されるリングスリーブ１５３を有する。前記挿入部１２の底面には前記リングスリーブ１５３を被装させるための袖ほぞ１２２が突設され、前記弾性体１５が前記挿入部１２の底面に結合される。前記当接部材は前記接続シート２２の上面に突出されると共に前記１対の弾性アーム１５１に各々接触させる案内部２２５として実施され、例えば案内ボスである。
【００６１】
図２６に示されるように、前記光ファイバー伝送モジュールは前記コネクタソケット３内に挿着され、前記１対の延長アーム２１の後端の前記１対のロック解除フランジ２３が前記コネクタソケット３の両側に相対的に設置される前記１対の弾性ロックシート３１に係合され、ロック形態が形成される。各前記延長アーム２１の前記停止シート２１２は前記ランナー１３に対応する前記位置制限スロット１３１の後端に挿設される（図６参照）。この際、前記弾性体１５の前記１対の弾性アーム１５１は前記接続シート２２の前記１対の案内部２２５に接触させる。
【００６２】
図２７に示されるように、他の規格の光ファイバー伝送モジュールに交換したり取り外す場合、使用者は手で前記プルハンドル２４を握って前記滑動部材２を動かして前記コネクタソケット３の反対方向に移動させるのみで、前記弾性体１５の前記１対の弾性アーム１５１が前記１対の案内部２２５に沿って移動し、内側に退縮するエネルギー蓄積形態が形成される。この際、各前記延長アーム２１の前記停止シート２１２は前記ランナー１３に対応する前記位置制限スロット１３１の前端に挿設され（図８参照）、前記１対の弾性アーム１５１が前記１対の案内部２２５に沿って移動する距離が定義される。各前記延長アーム２１の末端の前記ロック解除フランジ２３が移動中に前記弾性ロックシート３１に撞着し、前記光ファイバー伝送モジュールが前記コネクタソケット３から引き抜かれる。
【００６３】
新しい光ファイバー伝送モジュールに交換する場合、前記滑動部材２が解放された後、前記１対の弾性アーム２５１がエネルギーを解放させ、且つ前記１対の案内部１４１に沿って初期位置に戻され、前記滑動部材２が図２０に示されるロック位置まで復帰する。
【００６４】
図２８至図３１には第７実施形態に係る前記光ファイバー伝送モジュールを示す。本実施形態は前述の各実施形態と同じ符号を用いて同じ部材を表示する。本実施形態と前述の各実施形態とでは多くの共用部材を共有し、よって両者の差異についてのみ説明する。
【００６５】
本実施形態について前記第２実施形態を例として説明するが、引き輪２６によって前記第２実施形態の前記プルハンドル２４を代替させる。前記引き輪２６は１対の支持アーム２６１、及び前記１対の支持アーム２６１に連結されるプッシュシート２６２を備える。前記１対の支持アーム２６１は、前記１対の側壁１１の１対の枢軸１１１に枢着される１対のシャフト穴２６１ａ、及び前記１対の延長アーム２１の前端の１対の固定軸２１３に被装される１対の弧状の細長いスロット２６１ｂを有する。前記１対の支持アーム２６１の前記１対のシャフト穴２６１ａは前記１対の側壁１１の前記１対の枢軸１１１に枢着され、且つ弧状の細長いスロット２６１ｂに対して前記１対の固定軸２１３の端部に被装され、例えば下端部に被装され、図２９及び図３０に示される第７実施形態に係る前記光ファイバー伝送モジュールの組み立て後の傾斜図のように形成される。
【００６６】
各前記弧状の細長いスロット２６１ｂにより対応する前記固定軸２１３の両端部、例えば上端部及び下端部に距離差が生じる。前記引き輪２６の前記プッシュシート２６２が回転され、前記１対の固定軸２１３が前記１対の弧状の細長いスロット２６１ｂの前記下端部から前記上端部まで回転移動すると、前記滑動部材２が引かれて前記コネクタソケット３の反対方向に移動し、各前記延長アーム２１の末端の前記ロック解除フランジ２３が移動中に前記弾性ロックシート３１に撞着し、前記光ファイバー伝送モジュールが前記コネクタソケット３から引き抜かれる。
【００６７】
よって、本案の実施により、前記弾性体及び前記当接部材が安定した精確な定位効果を形成させ、前記１対の弾性アームが前記１対の案内部の移動中にエネルギーの蓄積と解放を行う過程において、従来のばねが詰まる或いは脱出する状況を回避させ、前記光ファイバー伝送モジュールの歩留まりを向上させる。これはこれまで同類の物品には無かった極めて優れた構造である。
【００６８】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００６９】
１  カートリッジ
１１  側壁
１１１  枢軸
１２  挿入部
１２１  ワイヤースロット
１２２  袖ほぞ
１３  ランナー
１３１  位置制限スロット
１４  当接部材
１４１  案内部
１５  弾性体
１５１  弾性アーム
１５２  逆Ｖ字型ワイヤースプリング
１５３  リングスリーブ
２  滑動部材
２１  延長アーム
２１１  連結穴
２１２  停止シート
２１３  固定軸
２２  接続シート
２２１  位置決めスロット
２２１ａ  第二挿入スロット
２２１ｂ  第二挿入シート
２２１ｃ  バックルスロット
２２２  袖ほぞ
２２３  台形突起シート
２２４  案内部
２２５  案内部
２３  ロック解除フランジ
２４  プルハンドル
２５  弾性体
２５１  弾性アーム
２５２  曲げシート
２５３  位置決めシート
２５３ａ  第一挿入シート
２５３ｂ  第一挿入スロット
２５３ｃ  バックルフック
２５４  逆Ｖ字型ワイヤースプリング
２５５  リングスリーブ
２６  引き輪
２６１  支持アーム
２６１ａ  シャフト穴
２６１ｂ  弧状の細長いスロット
２６２  プッシュシート
３  コネクタソケット
３１  弾性ロックシート
【図１】
2020177093.tif 000003
【図２】
2020177093.tif 000004
【図３】
2020177093.tif 000005
【図４】
2020177093.tif 000006
【図５】
2020177093.tif 000007
【図６】
2020177093.tif 000008
【図７】
2020177093.tif 000009
【図８】
2020177093.tif 000010
【図９】
2020177093.tif 000011
【図１０】
2020177093.tif 000012
【図１１】
2020177093.tif 000013
【図１２】
2020177093.tif 000014
【図１３】
2020177093.tif 000015
【図１４】
2020177093.tif 000016
【図１５】
2020177093.tif 000017
【図１６】
2020177093.tif 000018
【図１７】
2020177093.tif 000019
【図１８】
2020177093.tif 000020
【図１９】
2020177093.tif 000021
【図２０】
2020177093.tif 000022
【図２１】
2020177093.tif 000023
【図２２】
2020177093.tif 000024
【図２３】
2020177093.tif 000025
【図２４】
2020177093.tif 000026
【図２５】
2020177093.tif 000027
【図２６】
2020177093.tif 000028
【図２７】
2020177093.tif 000029
【図２８】
2020177093.tif 000030
【図２９】
2020177093.tif 000031
【図３０】
2020177093.tif 000032
【図３１】
2020177093.tif 000033
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
相対的に設置される２つの側壁及び前端の挿入部を有し、且つ各前記側壁にはランナーが横方向に開設されるカートリッジと、前記１対のランナー内に挿設される１対の延長アームを有し、且つ前記１対の延長アームの前段底部は接続シートを介して連接され、後端には１対のロック解除フランジが突設される滑動部材と、を備え、前記接続シートの上面及び前記挿入部の底面には弾性体及び当接部材が対応しあうように設置され、前記弾性体の両側には１対の弾性アームを有し、前記当接部材は両側に各前記弾性アームに接触させて移動させるために対称に設けられる案内部を含み、前記弾性体が前記当接部材の移動中にエネルギーの蓄積と解放を行い、
前記弾性体は高さが一定の非コイル状であり、前記一対の弾性アームが前記接続シートの上面及び前記挿入部の底面に対して同じ高さを有することを特徴とする光ファイバー伝送モジュール。
【請求項２】
各前記延長アームには停止シートが縦方向に突設され、前記ランナーには前記停止シートに対応する位置に前記停止シートを挿設させるための位置制限スロットが凹設され、前記滑動部材が前記カートリッジに対して外に引かれて移動するロック解除行程または内側に退縮移動するロック行程が定義されることを特徴とする請求項１に記載の光ファイバー伝送モジュール。
【請求項３】
前記挿入部には少なくとも１つのワイヤースロットが設けられることを特徴とする請求項１に記載の光ファイバー伝送モジュール。
【請求項４】
前記弾性体は打ち抜き及び折曲を経て前記接続シートの上面に形成される１対のＬ字型シート体を備え、各前記Ｌ字型シート体は前記接続シートの外端に向けて延伸される弾性アーム、及び前記接続シートの内端に連接される曲げシートを有し、前記当接部材は前記挿入部の底面に突出する台形バンプであり、前記台形バンプの両側には各前記弾性アームを外側に接触させ、前記当接部材の移動中に前記一対の弾性アームを拡張させる案内部が対称に斜めに設置され、且つ各前記案内部は案内スロープであることを特徴とする請求項１に記載の光ファイバー伝送モジュール。
【請求項５】
前記弾性体は打ち抜き及び折曲を経て形成されるＵ字型シート体を備え、前記Ｕ字型シート体は前記接続シートの外端に向けて延伸される１対の弾性アーム、及び前記１対の弾性アームに連接される曲げシートを有し、且つ前記曲げシートは前記接続シートの外端に向けて位置決めシートが延設され、前記接続シートの底面には前記位置決めシートに対応する位置に位置決めスロットが設けられ、前記位置決めシートは前記位置決めスロット内に結合され、前記１対の弾性アーム及び前記曲げシートが前記接続シートの上面に突設され、
前記当接部材は前記挿入部の底面に突出する台形バンプであり、前記台形バンプの両側には各前記弾性アームを外側に接触させ、前記当接部材の移動中に前記一対の弾性アームを拡張させる案内部が対称に斜めに設置され、且つ各前記案内部は案内スロープであることを特徴とする請求項１に記載の光ファイバー伝送モジュール。
【請求項６】
前記位置決めシートはリベット締め、螺着、または係着方式で前記位置決めスロット内に結合され、ることを特徴とする請求項５に記載の光ファイバー伝送モジュール。
【請求項７】
前記位置決めシートの前後両端には第一挿入シート及び第一挿入スロットが各々設置され、且つ前記第一挿入シートと前記第一挿入スロットとの間には少なくとも１つのバックルフックが設置され、前記位置決めスロット内には前記第一挿入シート、前記第一挿入スロット、及び前記少なくとも１つのバックルフックに対応する位置に前記第一挿入シートを挿設させるための第二挿入スロット、前記第一挿入スロットを挿設させるための第二挿入シート、及び前記少なくとも１つのバックルフックを係着させるための少なくとも１つのバックルスロットがそれぞれ設置され、前記位置決めシートが前記位置決めスロット内に堅固に装設されることを特徴とする請求項６に記載の光ファイバー伝送モジュール。
【請求項８】
前記弾性体はＷ字型ワイヤースプリングであり、その両側には前記接続シートの外端に向けて延伸される１対の弾性アーム、及び前記１対の弾性アームの間に連結される逆Ｖ字型ワイヤースプリングを有し、且つ前記Ｖ字型ワイヤースプリングの連接端にはリングスリーブが形成され、前記接続シートの上面には前記リングスリーブを被装させるための袖ほぞが突設され、前記弾性体が前記接続シートに結合され、前記当接部材は前記挿入部の底面に突出するように対称に設置される１対のくさび形バンプであり、前記１対のくさび形バンプの内側には各前記弾性アームに接触させる案内部が対称に斜めに設けられ、且つ各前記案内部は案内スロープであることを特徴とする請求項１に記載の光ファイバー伝送モジュール。
【請求項９】
前記弾性体はＷ字型ワイヤースプリングであり、その両側には前記カートリッジの内端に向けて延伸される１対の弾性アーム、及び前記１対の弾性アームの間に連結される逆Ｖ字型ワイヤースプリングを有し、且つ前記Ｖ字型ワイヤースプリングの連接端にはリングスリーブが形成され、前記挿入部の底面には前記リングスリーブを被装させるための袖ほぞが突設され、前記弾性体が前記挿入部の底面に結合され、前記当接部材は前記接続シートに一体に突出されると共に前記カートリッジの内端に向けて延伸される台形突起シートであり、前記台形突起シートの上面の両側には各前記弾性アームに接触させる案内部が対称に斜めに設けられ、且つ各前記案内部は案内スロープであることを特徴とする請求項１に記載の光ファイバー伝送モジュール。
【請求項１０】
前記弾性体はＶ字型ワイヤースプリングであり、その両側には前記接続シートの内端に向けて延伸される１対の弾性アーム、及び前記１対の弾性アームの連接端に連結されるように形成されるリングスリーブを有し、前記接続シートの上面には前記リングスリーブを被装させるための袖ほぞが突設され、前記弾性体が前記接続シートに結合され、前記当接部材は前記挿入部の底面に突出するように対称に設置される１対の長形バンプであり、前記１対の長形バンプの内側端部には各前記弾性アームに接触させる案内部が対称に斜めに設けられ、且つ各前記案内部は案内スロープであることを特徴とする請求項１に記載の光ファイバー伝送モジュール。
【請求項１１】
前記弾性体はＶ字型ワイヤースプリングであり、その両側には前記カートリッジの前端に向けて延伸される１対の弾性アーム、及び前記１対の弾性アームの連接端に連結されるように形成されるリングスリーブを有し、前記挿入部の底面には前記リングスリーブを被装させるための袖ほぞが突設され、前記弾性体が前記挿入部の底面に結合され、前記当接部材は前記接続シートの上面に突出されると共に前記１対の弾性アームに各々接触させる案内部であり、且つ各前記案内部は案内ボスであることを特徴とする請求項１に記載の光ファイバー伝送モジュール。
【請求項１２】
前記１対の延長アームの前端にはプルハンドルを更に備えることを特徴とする請求項１に記載の光ファイバー伝送モジュール。
【請求項１３】
前記プルハンドルは高分子材料で製造され、前記１対の延長アームの前段には少なくとも１つの連結穴が各々開設され、前記プルハンドルは前記１対の延長アームの前端にインサート成形され、且つ前記少なくとも１つの連結穴が埋設されることを特徴とする請求項１２に記載の光ファイバー伝送モジュール。
【請求項１４】
前記１対の延長アームの前端には、１対の支持アーム及び前記１対の支持アームに連結されるプッシュシートを含む引き輪を更に備え、前記１対の支持アームは前記１対の側壁の１対の枢軸に枢着される１対のシャフト穴、及び前記１対の延長アームの前端の１対の固定軸に被装される１対の弧状の細長いスロットを有し、各前記弧状の細長いスロットにより対応する前記固定軸の上端部及び下端部との距離差が生じ、前記引き輪の前記プッシュシートが回転され、前記１対の固定軸が前記１対の弧状の細長いスロットの前記下端部から前記上端部まで回転移動すると、前記滑動部材が引かれてコネクタソケットの反対方向に移動し、各前記延長アームの末端の前記ロック解除フランジが移動中に弾性ロックシートに撞着し、前記光ファイバー伝送モジュールが前記コネクタソケットから引き抜かれることを特徴とする請求項１に記載の光ファイバー伝送モジュール。